(57)【要約】【課題】    本発明は、光ファイバ−の位置決めを容易にすることができる光ファイバ−の位置決め方法を提供することを目的としている。【解決手段】    光ファイバ−の位置決め方法は、光ファイバ−10の先端は、少なくとも、復元力を有し、光ファイバ−10の先端から離れた位置で、光ファイバ−10を三次元移動自在な挟持部材20で挟持すると共に、この挟持した光ファイバ−10の部位10ａと光ファイバ−10の先端10ｂとの間の光ファイバ−10の部位10ｃを三次元移動自在な操作部材30の溝部30ｃで支持して、光ファイバ−10の先端10ｂを所定位置に位置決めすることができる。【選択図】図１
2005316029.tif 000002
【特許請求の範囲】
【請求項１】
光ファイバ−の先端は、少なくとも、復元力を有し、前記光ファイバ−の先端から離れた位置で、前記光ファイバ−を三次元移動自在な挟持部材で挟持すると共に、この挟持した前記光ファイバ−の部位と前記光ファイバ−の先端との間の前記光ファイバ−の部位を三次元移動自在な操作部材の溝部で支持して、前記光ファイバ−の先端を所定位置に位置決めすることができる
ことを特徴とする光ファイバ−の位置決め方法。
【請求項２】
光ファイバ−の先端から離れた位置で、前記光ファイバ−を挟持する三次元移動自在な挟持部材と、
この挟持した前記光ファイバ−の部位と前記光ファイバ−の先端との間の前記光ファイバ−の部位を溝部で支持する三次元移動自在な操作部材とを備えている
ことを特徴とする光ファイバ−の位置決め装置。
【発明の詳細な説明】
【技術分野】
【０００１】
本発明は、光ファイバ−の位置決め方法及び光ファイバ−の位置決め装置に係り、特に、光ファイバ−の位置決めを容易にすることができる光ファイバ−の位置決め方法及び光ファイバ−の位置決め装置に関する。
【背景技術】
【０００２】
光ファイバ−の先端を他の光ファイバ−、レンズ等の光学素子との接続等のため、光ファイバ−の先端を位置決めをする必要がある。
かかる場合、光学素子との干渉を避けるため、光ファイバ−を保持する部位は、光ファイバ−の先端からの距離が離れる程良い。
【発明の開示】
【発明が解決しようとする課題】
【０００３】
しかしながら、光ファイバ−は柔らかいため、光ファイバ−の先端からの距離が離れる程、光ファイバ−の曲がり癖、自重等により光ファイバ−が屈曲し、光学素子との接続に支障を来すという問題点が生じた。接続部位が適切でないと、接続損失を生じる。
本発明は、上記問題点を除去するようにした光ファイバ−の位置決め方法及び光ファイバ−の位置決め装置を提供するものである。
【課題を解決するための手段】
【０００４】
上記目的を達成するために、請求項１記載の光ファイバ−の位置決め方法は、光ファイバ−の先端は、少なくとも、復元力を有し、前記光ファイバ−の先端から離れた位置で、前記光ファイバ−を三次元移動自在な挟持部材で挟持すると共に、この挟持した前記光ファイバ−の部位と前記光ファイバ−の先端との間の前記光ファイバ−の部位を三次元移動自在な操作部材の溝部で支持して、前記光ファイバ−の先端を所定位置に位置決めすることができる。
【０００５】
請求項２記載の光ファイバ−の位置決め装置は、光ファイバ−の先端から離れた位置で、前記光ファイバ−を挟持する三次元移動自在な挟持部材と、この挟持した前記光ファイバ−の部位と前記光ファイバ−の先端との間の前記光ファイバ−の部位を溝部で支持する三次元移動自在な操作部材とを備えている。
【発明の効果】
【０００６】
請求項１記載の光ファイバ−の位置決め方法によれば、光ファイバ−の先端から離れた位置で、前記光ファイバ−を三次元移動自在な挟持部材で挟持すると共に、この挟持した前記光ファイバ−の部位と前記光ファイバ−の先端との間の前記光ファイバ−の部位を光ファイバ−の復元力を利用して三次元移動自在な操作部材の溝部で支持できるため、つまり、光ファイバ−の先端から近い側の光ファイバ−の部位には、干渉するような挟持部材、操作部材を設けておらず、光ファイバ−の先端を他の光ファイバ−、レンズ等の光学素子との接続等のため、光ファイバ−の先端を位置決めする際、他の光ファイバ−、レンズ等の光学素子と干渉を避けることができ、光ファイバ−の先端の位置決めを容易にすることができる。
【０００７】
請求項２記載の光ファイバ−の位置決め装置によれば、光ファイバ−の先端から離れた位置で、前記光ファイバ−を三次元移動自在な挟持部材で挟持すると共に、この挟持した前記光ファイバ−の部位と前記光ファイバ−の先端との間の前記光ファイバ−の部位を光ファイバ−の復元力を利用して三次元移動自在な操作部材の溝部で支持できるため、つまり、光ファイバ−の先端から近い側の光ファイバ−の部位には、干渉するような挟持部材、操作部材を設けておらず、光ファイバ−の先端を他の光ファイバ−、レンズ等の光学素子との接続等のため、光ファイバ−の先端を位置決めする際、他の光ファイバ−、レンズ等の光学素子と干渉を避けることができ、光ファイバ−の先端の位置決めを容易にすることができる。
【実施例】
【０００８】
本発明の一実施例の光ファイバ−の位置決め方法及び光ファイバ−の位置決め装置を図面を参照して説明する。
【０００９】
図１及び図２において、１は光ファイバ−の位置決め装置である。図１及び図２に示す光ファイバ−の位置決め装置１においては、光ファイバ−10、挟持部材20、操作部材30を示すのみで、挟持部材20を三次元移動自在に動作させる、例えば、周知のＸＹＺ位置決めステ−ジ、操作部材30を三次元移動自在に動作させる、例えば、周知のＸＹＺ位置決めステ−ジ、本体等は、図示していない。
【００１０】
挟持部材20は光ファイバ−10を挟持する部材で、例えば、対向する板状の二部材の一端を回動自在に接続すると共に、他端を接離自在（接する状態を保持するために、例えば、接離側の対向する板状の二部材のそれぞれにマグネットを埋め込んでおく。）にしたもので、挟持部材20の光ファイバ−10の挟持面には、ゴム、樹脂等が使用され、光ファイバ−10に傷がつかないようにしている。なお、上述したように、挟持部材20は、例えば、周知のＸＹＺ位置決めステ−ジ（図示せず）により、Ｘ方向（水平方向）、Ｙ方向（水平方向）、Ｚ方向（垂直方向）の三次元移動自在となっている。
【００１１】
操作部材30は、挟持部材20により挟持した光ファイバ−10の部位10ａと光ファイバ−10の先端10ｂとの間の光ファイバ−10の部位10ｃを支持するもので、光ファイバ−10の部位10ｃは、操作部材30の溝部30ｃで支持される。溝部30ｃの断面形状は、例えば、図２に示すようにＶ字型となっている。溝部30ｃの断面形状は、図示のＶ字型以外には、図示しないが、例えば、Ｕ字型でも良い。なお、上述したように、操作部材30は、例えば、周知のＸＹＺ位置決めステ−ジ（図示せず）により、Ｘ方向（水平方向）、Ｙ方向（水平方向）、Ｚ方向（垂直方向）の三次元移動自在となっている。
【００１２】
従って、光ファイバ−の位置決め方法（又は、光ファイバ−の位置決め装置１）によれば、光ファイバ−10の先端10ｂから離れた位置で、光ファイバ−10をＸ方向（水平方向）、Ｙ方向（水平方向）、Ｚ方向（垂直方向）の三次元移動自在な挟持部材20で挟持すると共に、この挟持した光ファイバ−10の部位10ａと光ファイバ−10の先端10ｂとの間の光ファイバ−10の部位10ｃを光ファイバ−10の復元力を利用してＸ方向（水平方向）、Ｙ方向（水平方向）、Ｚ方向（垂直方向）の三次元移動自在な操作部材30の溝部30ｃで支持することができる。
【００１３】
即ち、図１に示すように、光ファイバ−10を挟持部材20で傾斜角θ［傾斜角θは、水平方向に対してθの角度（０＜θ＜９０°）］で挟持し、操作部材30の溝部30ｃで支持すると、光ファイバ−10の先端10ｂから挟持した光ファイバ−10の部位10ａにかけて湾曲状となる。
【００１４】
これは、光ファイバ−10が真っ直ぐに戻ろうとする復元力が働き、その復元力を操作部材30で受け止めることで、光ファイバ−10の先端側を操作部材30で略水平方向に保持することができる。そして、操作部材30の位置を動かすことで、例えば、挟持部材20及び操作部材30動かすことで、光ファイバ−10の先端側を操作部材30で略水平方向に保持したまま、光ファイバ−10の先端10ｂを位置を任意に位置決めすることができる。
【００１５】
つまり、光ファイバ−10の先端10ｂから近い側の光ファイバ−10の部位10ａには、干渉するような挟持部材、操作部材を設けておらず、しかも、光ファイバ−10の先端10ｂから近い方に位置する操作部材30は溝部30ｃで支持するだけであり操作部材30を小さくでき、光ファイバ−10の先端10ｂを他の光ファイバ−、レンズ等の光学素子との接続等のため、光ファイバ−10の先端を位置決めする際、他の光ファイバ−、レンズ等の光学素子と干渉を避けることができ、言い換えれば、光ファイバ−10の先端10ｂから光ファイバ−10の部位10ｃの近傍の自由空間により、光ファイバ−10の先端10ｂの位置決めを容易にすることができる。
【図面の簡単な説明】
【００１６】
【図１】図１は、本発明の一実施例の光ファイバ−の位置決め装置の要部の概略的正面図である。
【図２】図２は、図１の概略的側面図である。
【符号の説明】
【００１７】
10  ・・・・・光ファイバ−
20  ・・・・・挟持部材
30  ・・・・・操作部材
【図１】
2005316029.tif 000003
【図２】
2005316029.tif 000004